(57)【要約】【課題】同一の画像表示媒体を複数用いて大画面化する場合において、画像を正常に表示させることができる画像表示装置を提供する。【解決手段】表示基板１２はｍ個の行電極１６１〜１６ｍを備えると共に、背面基板１４はｎ個の列電極１８１〜１８ｎを備え、互いの電極が直交するように対峙して配置された単純マトリクス構造となっている。表示側駆動部３０は、行電極駆動回路３２、反転部３４、反転スイッチ３６で構成され、反転部３４は、反転スイッチ３６がオンのときに、行電極駆動回路３２と行電極１６１〜１６ｍとの接続関係を反転させる。背面側駆動部４２は、列電極駆動回路４４、反転部４６、反転スイッチ４８で構成され、反転部４６は、反転スイッチ４８がオンのときに、列電極駆動回路４４と列電極１８１〜１８ｎとの接続関係を反転させる。これらを複数組み合わせて大画面を構成する。【選択図】        図３
2004354542.tif 000002
【特許請求の範囲】
【請求項１】
複数の表示側電極が形成された表示基板及び前記表示側電極に電圧を印加する表示側電圧印加手段を備えた表示基板部と、複数の背面側電極が形成された背面基板及び前記背面側電極に電圧を印加する背面側電圧印加手段を備えた背面基板部と、前記表示基板と前記背面基板との間に封入された表示体と、を備えた画像表示媒体を複数並べて配置した画像表示手段と、
画像データに基づいて複数の画像表示媒体の前記表示側電圧印加手段及び背面側電圧印加手段を各々制御する制御手段と、
複数の表示側電極のうち予め定めた基準表示側電極と複数の背面側電極のうち予め定めた基準背面側電極とで定まる基準画素位置が、前記複数の画像表示媒体で各々一致するように調整するための基準画素位置調整手段と、
を備えた画像表示装置。
【請求項２】
前記基準画素位置調整手段は、
複数の前記表示基板部に各々設けられ、前記複数の表示側電極と前記表示側電圧印加手段との間の配線接続を反転させる複数の表示側反転手段と、
前記複数の表示側反転手段に対応して各々設けられ、前記表示側反転手段による反転動作をオンオフするための複数の表示側反転切替スイッチと、
複数の前記背面基板部に各々設けられ、前記複数の背面側電極と前記背面側電圧印加手段との間の配線接続を反転させる複数の背面側反転手段と、
前記複数の背面側反転手段に対応して各々設けられ、前記背面側反転手段による反転動作をオンオフするための複数の背面側反転切替スイッチと、
を含むことを特徴とする請求項１記載の画像表示装置。
【請求項３】
前記基準画素位置調整手段は、前記複数の画像表示媒体の配置に基づいて、前記画像データを反転させる画像データ反転手段を含むことを特徴とする請求項１又は請求項２記載の画像表示装置。
【請求項４】
前記画像表示媒体の配置位置を検出する位置検出手段をさらに備え、前記基準画素位置調整手段は、前記位置検出手段により検出された配置位置に基づいて、前記基準画素位置が、前記複数の画像表示媒体で各々一致するように調整することを特徴とする請求項１乃至請求項３の何れか１項に記載の画像表示装置。
【請求項５】
前記画像表示手段は、４個の画像表示媒体を２行２列で配置した構成であることを特徴とする請求項１乃至請求項４の何れか１項に記載の画像表示装置。
【請求項６】
前記複数の表示側電極及び前記複数の背面側電極は、単純マトリクス構造であることを特徴とする請求項１乃至請求項５の何れか１項に記載の画像表示装置。
【発明の詳細な説明】
【０００１】
【発明の属する技術分野】
本発明は画像表示装置に係り、特に、複数の画像表示媒体を並べて配置した画像表示手段を備えた画像表示装置に関する。
【０００２】
【従来の技術】
従来、単純マトリクス駆動により画像を表示する液晶表示装置が知られている（例えば特許文献１〜３参照）。単純マトリクス駆動の画像表示媒体の基板は、例えば図１０（Ａ）に示すような複数のライン状の行電極１６１〜１６ｍが設けられた表示基板１２と、図１０（Ｂ）に示すような複数のライン状の列電極１８１〜１８ｎが設けられた背面基板１４とが、図１１に示すように行電極１６１〜１６ｍと列電極１８１〜１８ｎとが直交するように対峙して配置された構成となる。行電極１６１〜１６ｍは、行電極駆動回路３２によって駆動され、列電極１８１〜１８ｎは、列電極駆動回路４４によって駆動される。
【０００３】
このような単純マトリクス構造の画像表示媒体に画像を表示する場合には、順次行電極１６１〜１６ｍに所定電圧を印加すると共に、これに同期して、電圧が印加された行のライン画像に応じた列電極１８に所定電圧を印加し、ライン毎に画像を表示する。
【０００４】
また、このような画像表示媒体を複数並べて配置し、大画面化する技術が知られている（例えば特許文献１、２、４参照）。
【０００５】
複数の画像表示媒体を並べて配置することにより大画面化する場合、同一の画像表示媒体を複数用いるのがコスト的にも有効であるため、例えば図１２に示す画像表示媒体１０を４個用いて２行２列の大画面を構成する場合、図１０（Ａ）に示す行電極駆動回路３２及び表示基板１２から成る表示基板部４０、図１０（Ｂ）に示す列電極駆動回路４４及び背面基板１４から成る背面基板部５２を４個づつ用いて、電極からの配線が全て外縁部から取り出されるように図１２に示すように配置する。そして、図１３に示すように、各々の行電極駆動回路３２、列電極駆動回路４４を制御部６２により制御する。
【０００６】
【特許文献１】
特開平１１−１３３３７５号公報
【特許文献２】
特開２００１−２４２４３６号公報
【特許文献３】
特開２００１−６６６２３号公報
【特許文献４】
特開２００２−１３９７４７号公報
【０００７】
【発明が解決しようとする課題】
しかしながら、上記のように同一の表示基板部４０及び背面基板１４を複数用いて大画面化する場合、以下のような問題があった。すなわち、表示基板部４０及び背面基板部５２における電極の駆動順序は予め決まっているため、図１２に示すように、画像表示媒体１０Ａを基準とした場合、画像表示媒体１０Ｂについては、行電極１６１〜１６ｍの順序が反転し、画像表示媒体１０Ｃについては、列電極１８１〜１８ｎの順序が反転し、画像表示媒体１０Ｄについては、行電極１６１〜１６ｍ及び列電極１６１〜１６ｎの順序が反転してしまう。
【０００８】
従って、例えば図１４に示すように、「あ」の文字を画像表示媒体１０Ａ〜１０Ｄにそれぞれ表示させた場合、画像表示媒体１０Ａについては正常に表示されるものの、画像表示媒体１０Ｂについては上下が反転して表示され、画像表示媒体１０Ｃについては左右が反転して表示され、画像表示媒体１０Ｄについては上下左右がそれぞれ反転されて表示されてしまう、という問題があった。
【０００９】
本発明は、上記問題点を解決すべく成されたものであり、同一の画像表示媒体を複数用いて大画面化する場合において、画像を正常に表示させることができる画像表示装置を提供することを目的とする。
【００１０】
【課題を解決するための手段】
上記課題を解決するため、請求項１記載の発明は、複数の表示側電極が形成された表示基板及び前記表示側電極に電圧を印加する表示側電圧印加手段を備えた表示基板部と、複数の背面側電極が形成された背面基板及び前記背面側電極に電圧を印加する背面側電圧印加手段を備えた背面基板部と、前記表示基板と前記背面基板との間に封入された表示体と、を備えた画像表示媒体を複数並べて配置した画像表示手段と、画像データに基づいて複数の画像表示媒体の前記表示側電圧印加手段及び背面側電圧印加手段を各々制御する制御手段と、複数の表示側電極のうち予め定めた基準表示側電極と複数の背面側電極のうち予め定めた基準背面側電極とで定まる基準画素位置が、前記複数の画像表示媒体で各々一致するように調整するための基準画素位置調整手段と、を備えたことを特徴とする。
【００１１】
この発明によれば、画像表示手段は、同一の画像表示媒体を複数並べて配置して大画面化した構成であり、例えば請求項５に記載したように、前記画像表示手段は、４個の画像表示媒体を２行２列で配置した構成とすることができる。また、請求項６に記載したように、前記複数の表示側電極及び前記複数の背面側電極は、単純マトリクス構造とすることができる。
【００１２】
このような構成の場合、表示側電極及び背面側電極からの配線が全て画像表示手段の外縁部から取り出されるようにすることが好ましいが、各画像表示媒体の上下左右の向きが異なってしまうため、そのままでは画像の向きが正常とならない。
【００１３】
そこで、基準位置調整手段は、基準画素位置が、複数の画像表示媒体で各々一致するように調整する。基準画素位置は、複数の表示側電極のうち予め定めた基準表示側電極と複数の背面側電極のうち予め定めた基準背面側電極とで定まる位置である。例えば、画面の左上隅の位置を基準画素位置とすることができる。
【００１４】
このように、基準画素位置が複数の画像表示媒体で各々一致するように調整することにより、画像の向きを全て同一とし、正常に表示することができる。
【００１５】
具体的には、請求項２に記載したように、前記基準画素位置調整手段は、複数の前記表示基板部に各々設けられ、前記複数の表示側電極と前記表示側電圧印加手段との間の配線接続を反転させる複数の表示側反転手段と、前記複数の表示側反転手段に対応して各々設けられ、前記表示側反転手段による反転動作をオンオフするための複数の表示側反転切替スイッチと、複数の前記背面基板部に各々設けられ、前記複数の背面側電極と前記背面側電圧印加手段との間の配線接続を反転させる複数の背面側反転手段と、前記複数の背面側反転手段に対応して各々設けられ、前記背面側反転手段による反転動作をオンオフするための複数の背面側反転切替スイッチと、を含む構成とすることができる。
【００１６】
この発明によれば、各々の画像表示媒体について、表示側反転切替スイッチをオンすることにより複数の表示側電極と表示側電圧印加手段との間の配線接続を反転させることができると共に、背面側反転切替スイッチをオンすることより複数の背面側電極と背面側電圧印加手段との間の配線接続を反転させることができる。
【００１７】
従って、画像表示媒体の配置に基づいて、適宜表示側反転切替スイッチ及び背面側反転切替スイッチをオンすることにより、全ての画像表示媒体の基準画素位置が一致させることができる。
【００１８】
また、請求項３に記載したように、前記基準画素位置調整手段は、前記複数の画像表示媒体の配置に基づいて、前記画像データを反転させる画像データ反転手段を含む構成とすることができる。
【００１９】
この発明によれば、画像データを反転させることにより全ての画像表示媒体の基準画素位置を一致させるので、反転手段を省略することが可能となる。
【００２０】
また、請求項４に記載したように、前記画像表示媒体の配置位置を検出する位置検出手段をさらに備え、前記基準画素位置調整手段は、前記位置検出手段により検出された配置位置に基づいて、前記基準画素位置が、前記複数の画像表示媒体で各々一致するように調整するようにしてもよい。
【００２１】
この発明によれば、位置検出手段により画像表示媒体の配置位置を自動的に検出し、検出された配置位置に基づいて、複数の画像表示媒体の基準位置を一致させるので、反転切替スイッチのオンオフ操作を省略することができ、利便性を向上させることができる。
【００２２】
【発明の実施の形態】
以下、図面を参照して本発明の実施の形態について詳細に説明する。
【００２３】
（第１実施形態）
本実施形態は、単純マトリクス駆動により複数の画像表示媒体に画像を表示する画像表示装置に本発明を適用したものである。なお、上記従来技術で説明したものと同一部分には同一符号を付す。
【００２４】
図１には、本実施形態に係る画像表示媒体１０の断面図を示した。図１に示すように、画像表示媒体１０は、画像表示側である透明な表示基板１２と、当該表示基板１２と対向し所定間隙を隔てて配置される背面基板１４とを備えており、所謂単純マトリクス駆動方式により駆動されるものである。
【００２５】
図１に示すように、表示基板１２の背面基板１４との対向面には複数のライン状の行電極１６が設けられ、同様に、背面基板１４の表示基板１２との対向面にも複数のライン状の列電極１８が設けられている。そして、表示基板１２と背面基板１４とは、互いに設けられた行電極１６と列電極１８とが直交するように対峙して配置される。行電極１６と列電極１８との交差位置が画素を構成する。なお、図１（Ａ）は列電極１８に沿った画像表示媒体１０の断面図、図１（Ｂ）は行電極１６に沿った画像表示媒体１０の断面図である。
【００２６】
また、行電極１６側には絶縁層２０が形成され、列電極１８側には絶縁層２２が各々形成されている。絶縁層２０、２２は例えばポリカーボネート等で構成される。
【００２７】
なお、本実施の形態では、表示基板１２のライン状の電極が行電極であり、背面基板１４のライン状の電極が列電極を形成するように構成したが、これとは逆に表示基板１２に列電極を設け、背面基板１４に行電極を設けた構成であってもよい。
【００２８】
表示基板１２と背面基板１４との間には、互いに帯電特性の異なる粒子群であって、正に帯電した黒粒子２４と負に帯電した白粒子２６とが封入されている。また、表示基板１２と背面基板１４との間には間隙部材２８が設けられ、これにより表示基板１２と背面基板１４との間が一定間隔に保たれる。
【００２９】
黒粒子２４及び白粒子２６は、基板間に粒子が移動するための所定電圧以上の電圧が印加された場合に、基板間を移動する。すなわち、列電極１８を基準として、列電極１８と行電極１６との間に正の所定電圧が印加された場合には、表示基板１２側の黒粒子２４は背面基板１４側へ移動し、背面基板１４側の白粒子２６は表示基板１２側へ移動する。一方、列電極１８を基準として列電極１８と行電極１６との間に負の所定電圧が印加された場合には、表示基板１２側の白粒子２６は背面基板１４側へ移動し、背面基板１４側の黒粒子２４は表示基板１２側へ移動する。
【００３０】
このような画像表示媒体１０では、順次行電極１６に所定電圧を印加する（走査する）と共に、これに同期して、電圧が印加された行のライン画像に応じた列電極１８に所定電圧を順次印加する。これにより、行電極１６と列電極１８との間に所定電圧以上の電圧が印加された位置の粒子が基板間を移動し、画像が表示される。このような単純マトリクス駆動により、順次ライン画像が表示され、最後の行まで走査することにより、全体の画像が表示される。
【００３１】
なお、図１では、説明の簡略化のために４×４の単純マトリックス構成としているが、実際は、図２（Ａ）に示すように表示基板１２はｍ個の行電極１６１〜１６ｍを備えており、図２（Ｂ）に示すように、背面基板１４は、ｎ個の列電極１８１〜１８ｎを備え、ｍ×ｎの単純マトリクス構成となっている。
【００３２】
行電極１６１〜１６ｍは、表示側駆動部３０によって駆動される。表示側駆動部３０は、行電極駆動回路３２、反転部３４、及び反転スイッチ３６で構成されている。行電極駆動回路３２は、図示しない電源が接続され、図示しない制御部からの指示に応じて、行電極１６１〜１６ｍに所定電圧を印加するものである。
【００３３】
反転部３４は、反転スイッチ３６がオンのときに、行電極駆動回路３２と行電極１６１〜１６ｍとの接続関係を反転させる。具体的には、反転スイッチ３６がオフの場合には、行電極駆動回路３２と反転部３４とを接続する配線３８１〜３８ｍは、行電極１６１〜１６ｍと各々接続されるのであるが、反転スイッチ３６がオンの場合には、配線３８１〜３８ｍが、行電極１６ｍ〜１６１と各々接続されるように接続状態を変更する。すなわち、配線３８１が行電極１６ｍと接続され、配線３８２が行電極１６ｍ−１と接続され、…配線３８ｍ−１が行電極１６２と接続され、配線３８ｍが行電極１６１と接続されることとなる。
【００３４】
反転スイッチ３６は、例えば画像表示媒体１０の設置者が操作しやすいようにディップスイッチ等により構成される。なお、表示側駆動部３０及び表示基板１２により表示基板部４０を構成する。
【００３５】
また、列電極１８１〜１８ｎは、背面側駆動部４２によって駆動される。背面側駆動部４２は、列電極駆動回路４４、反転部４６、及び反転スイッチ４８で構成されている。列電極駆動回路４４は、図示しない電源が接続され、図示しない制御部からの指示に応じて、列電極１８１〜１８ｎに所定電圧を印加するものである。
【００３６】
反転部４６は、反転スイッチ４８がオンのときに、列電極駆動回路４４と列電極１８１〜１８ｎとの接続関係を反転させる。具体的には、反転スイッチ４８がオフの場合には、列電極駆動回路４４と反転部４６とを接続する配線５０１〜５０ｎは、列電極１８１〜１８ｎと各々接続されるのであるが、反転スイッチ４８がオンの場合には、配線５０１〜５０ｎが、列電極１８ｎ〜１８１と各々接続されるように接続状態を変更する。すなわち、配線５０１が列電極１８ｎと接続され、配線５０２が列電極１８ｎ−１と接続され、…配線５０ｎ−１が列電極１８２と接続され、配線５０ｎが列電極１８１と接続されることとなる。なお、背面側駆動部４２及び背面基板１４により背面基板部５２を構成する。
【００３７】
そして、図３に示すように、行電極１６１〜１６ｍと列電極１８１〜１８ｎとが直交するように対峙して配置することにより、ｍ×ｎの単純マトリクス構造となる。なお、以下では、画素の座標を（行番号、列番号）で表すものとする。すなわち、例えば行電極１６１と列電極１８１とが交差する位置の座標は（１，１）、行電極１６ｍと列電極１８ｎとが交差する位置の座標は（ｍ，ｎ）となる。
【００３８】
図２（Ａ）、（Ｂ）に示すような表示基板部４０及び背面基板部５２を複数用いることにより、大画面化することができる。図４には、４個の画像表示媒体１０Ａ〜１５Ｄを２行２列に並べて配置した画像表示装置６０を示した。
【００３９】
図４に示すように、画像表示装置６０は、制御部６２を備えている。制御部６２は、４個の表示側駆動部３０Ａ〜３０Ｄの行電極駆動回路３２と接続されるとと共に、背面側駆動部４２Ａ〜４２Ｄの列電極駆動回路４４と接続されている。
【００４０】
制御部６２は、入力された画像データに基づいて、表示側駆動部３０Ａの行電極駆動回路３２と背面側駆動部４２Ａの列電極駆動回路４４、表示側駆動部３０Ｂの行電極駆動回路３２と背面側駆動部４２Ｂの列電極駆動回路４４、表示側駆動部３０Ｃの行電極駆動回路３２と背面側駆動部４２Ｃの列電極駆動回路４４、表示側駆動部３０Ｄの行電極駆動回路３２と背面側駆動部４２Ｄの列電極駆動回路４４とを前述した単純マトリクス駆動により各々制御する。
【００４１】
なお、画像表示媒体１０Ａ〜１０Ｄ全体を１つの画面として画像を表示する場合、制御部６２は、表示すべき画像を４個に分割した分割画像の画像データを生成し、生成した画像データに基づいて表示側駆動部３０Ａ〜３０Ｄの行電極駆動回路３２及び背面側駆動部４２Ａ〜４２Ｄの列電極駆動回路４４を各々制御する。
【００４２】
このように、同一の表示基板部４０及び背面基板部５２を用いることにより、安価に大画面化することができるが、前述した図１２に示すように、画像表示媒体１０Ｂについては、行電極１６１〜１６ｍの順序が反転し、画像表示媒体１０Ｃについては、列電極１８１〜１８ｎの順序が反転し、画像表示媒体１０Ｄについては、行電極１６１〜１６ｍ及び列電極１８１〜１８ｎの順序が反転してしまう。
【００４３】
すなわち、基準画素位置を（１，１）とした場合、画像表示媒体１０Ａは左上隅の画素の位置が基準画素位置６４Ａとなり、画像表示媒体１０Ｂは左下隅の画素の位置が基準画素位置６４Ｂとなり、画像表示媒体１０Ｃは右上隅の画素の位置が基準画素位置６４Ｃとなり、画像表示媒体１０Ｄは右下隅の画素の位置が基準画素位置６４Ｄとなる。従って、このままでは、図１４に示すように、「あ」の文字を画像表示媒体１０Ａ〜１０Ｄにそれぞれ表示させた場合、それぞれの文字の向きが一致せず、画像が正常に表示されないこととなる。
【００４４】
このような場合、画像表示媒体１０Ｂに対応する表示側駆動部３０Ｂの反転スイッチ３６をオンし、画像表示媒体１０Ｃに対応する背面側駆動部４２Ｃの反転スイッチ４８をオンし、画像表示媒体１０Ｄに対応する表示側駆動部３０Ｄの反転スイッチ３６及び背面側駆動部４２Ｄの反転スイッチ４８をオンする。この反転スイッチの操作は、例えば画像表示装置の設置者等が行う。
【００４５】
これにより、画像表示媒体１０Ｂの行電極駆動回路３２と行電極１６１〜１６ｍとの接続関係が反転され、画像表示媒体１０Ｃの列電極駆動回路４４と列電極１８１〜１８ｎとの接続関係が反転され、画像表示媒体１０Ｄの行電極駆動回路３２と行電極１６１〜１６ｍとの接続関係及び列電極駆動回路４４と列電極１８１〜１８ｎとの接続関係が反転される。
【００４６】
従って、図５に示すように、画像表示媒体１０Ａ〜１０Ｄの基準画素位置６４Ａ〜６４Ｄの全てが左上隅の画素の位置となる。これにより、例えば図６に示すように、「あ」の文字を画像表示媒体１０Ａ〜１０Ｄにそれぞれ表示させた場合、画像表示媒体１０Ａ〜１５Ｄの全てについて正常に表示される。
【００４７】
このように、本実施形態では、表示側駆動部３０に、画像表示媒体１０の行電極駆動回路３２と行電極１６１〜４０ｍとの接続関係を反転させる反転部３４を設けると共に、背面側駆動部４２に、列電極駆動回路４４と列電極１８１〜４２ｎとの接続関係を反転するための反転部４６を設け、反転スイッチ３６、４８によって各々を容易に反転することができる構成とした。これにより、基準画素位置が全て一致するようにすることができるため、同一の画像表示媒体を複数用いて大画面化した場合でも、画像を正常に表示させることができる。
【００４８】
なお、本実施形態では、表示基板部４０及び背面基板部５２を各々４個ずつ組み合わせて大画面化を図った場合について説明したが、図４に示すように、画像表示媒体１０Ａについての表示基板部４０及び背面基板部５２をそのまま１８０度回転させた場合、画像表示媒体１０Ｄについての表示基板部４０及び背面基板部５２と同一となる。また、画像表示媒体１０Ｂについての表示基板部４０及び背面基板部５２をそのまま１８０度回転させた場合、画像表示媒体１０Ｃについての表示基板部４０及び背面基板部５２と同一となる。
【００４９】
そこで、表示基板部４０と背面基板部５２を一体化した構成としてもよい。この場合、表示側駆動部３０背面側駆動部４２を同一基板上に配置する構成とすることにより、画像表示装置６０を小型化又は薄型化することができる。
【００５０】
（第２実施形態）
次に、本発明の第２実施形態について説明する。本実施形態では、各画像表示媒体の基準画素位置を自動的に検出して基準画素位置を一致させる場合について説明する。なお、上記実施形態と同一部分については同一符号を付し、その詳細な説明は省略する。
【００５１】
図７（Ａ）、（Ｂ）には、本実施形態に係る表示基板部４０Ａ、背面基板部５２Ａの構成を示した。
【００５２】
図７（Ａ）に係る表示基板部４０Ａが図３に示した表示基板部４０と異なる点は、反転スイッチ３６が省略されると共に、反転部３４が制御部６２と接続されている点及び重力方向検知センサ７０が設けられている点である。反転部３４は制御部６２からの反転信号により行電極駆動回路３２と行電極との接続関係を反転させる。これ以外の点については、両者は同一であるので説明は省略する。
【００５３】
また、図７（Ｂ）に係る背面基板部５２Ａが図３に示した背面基板部５２と異なる点は、反転スイッチ４８が省略されると共に、反転部４６が制御部６２と接続されている点及び重力方向検知センサ７２が設けられている点である。反転部４６は制御部６２からの反転信号により列電極駆動回路４４と列電極との接続関係を反転する。これ以外の点については、両者は同一であるので説明は省略する。
【００５４】
重力方向検知センサ７０、７２は、図７（Ａ）、（Ｂ）に示すように、棒状部材の先端に球状の導電性部材が設けられた振り子７６を備えており、振り子７６の先端が接点Ａ又は接点Ｂに接触したことを検知し、この検知信号を制御部６２へ出力する。
【００５５】
重力方向検知センサ７０は、例えば表示側駆動部３０が設けられた基板上に設けられ、表示基板部４０を縦置きした場合に、振り子７６が図中Ｐ部を支点として重力方向に振られるように取り付けられる。従って、振り子７６の先端が接点Ａに接触した場合には、図８に示すように、対応する画像表示媒体が右側に位置していると認識することができ、振り子７６の先端が接点Ｂに接触した場合には、図８に示すように、対応する画像表示媒体が左側に位置していると認識することができる。
【００５６】
重力方向検知センサ７２も同様に、例えば背面側駆動部４２が設けられた基板上に設けられ、背面基板部５２を縦置きした場合に、振り子７６が図中Ｐ部を支点として重力方向に振られるように取り付けられる。従って、振り子７６の先端が接点Ａに接触した場合には、図８に示すように、対応する画像表示媒体が下側に位置していると認識することができ、振り子７６の先端が接点Ｂに接触した場合には、図８に示すように、対応する画像表示媒体が上側に位置していると認識することができる。
【００５７】
制御部６２は、各重力方向検知センサ７０からの検知信号に基づいて、反転信号を反転部３４又は反転部４６に出力する。具体的には、制御部６２は、表示基板部４０に設けられた重力方向検知センサ７０からの検知信号により左側に位置していると認識した場合（振り子７６が接点Ｂに接触している場合）には、反転信号を反転部３４に出力せず、行電極駆動回路３２と行電極との接続関係を反転させないようにし、右側に位置していると認識した場合（振り子７６が接点Ａに接触している場合）には、反転信号を反転部３４に出力し、行電極駆動回路３２と行電極との接続関係を反転させる。
【００５８】
また、制御部６２は、背面基板部５２に設けられた重力方向検知センサ７２からの検知信号により上側に位置していると認識した場合（振り子７６が接点Ｂに接触している場合）には、反転信号を反転部４６に出力せず、列電極駆動回路４４と列電極との接続関係を反転させないようにし、下側に位置していると認識した場合（振り子７６が接点Ａに接触している場合）には、反転信号を反転部４６に出力し、列電極駆動回路４４と列電極との接続関係を反転させる。
【００５９】
これにより、第１実施形態と同様に全ての画像表示媒体の基準画素位置が一致し、画像の向きを正常に表示することができる。
【００６０】
このように、本実施形態では、表示基板部４０及び背面基板部５２の上下左右の位置を自動的に検知して、全ての画像表示媒体の基準画素位置が一致するように制御するので、装置の組み立て時や取り外し時における反転スイッチの操作を省略することができ、利便性を向上させることができる。
【００６１】
なお、本実施形態では、各基板部の位置を検出するのに重力方向検知センサを用いたが、各基板部の位置を検出できるものであればよく、例えば圧力検知センサやジャイロセンサ等の他のセンサを用いても良い。
【００６２】
（第３実施形態）
次に、本発明の第３実施形態について説明する。本実施形態では、画像データの反転により画像を正常に表示する場合について説明する。
【００６３】
本実施形態に係る画像表示媒体の構成は、図１に示したものと同様であり、画像表示装置等については、図１０〜１３に示したものと同様であるので、詳細な説明は省略する。
【００６４】
図１２に示すように、本実施形態に係る画像表示媒体１０Ａ〜１０Ｄでは、基準画素位置６４Ａ〜６４Ｄが一致せず、このままでは、図１４に示すように、例えば「あ」の文字を画像表示媒体１０Ａ〜１０Ｄにそれぞれ表示させた場合、それぞれの文字の向きが一致せず、画像が正常に表示されないこととなる。
【００６５】
そこで、制御部６２は、画像表示媒体１０Ｂ〜１０Ｄを駆動するための画像データを反転させ、画像表示媒体１０Ａについては通常の画像データに基づいて行電極駆動回路３２及び列電極駆動回路４４を制御し、画像表示媒体１０Ｂ〜１０Ｄについては、反転後の画像データに基づいて画像表示媒体１０Ｂ〜１０Ｄに対応する行電極駆動回路３２及び列電極駆動回路４４を各々制御する。
【００６６】
具体的には、画像表示媒体１０Ｂについては、図１４に示すように、画像の上下が反転してしまうことから、各列の列画像データを各々反転させた画像データを生成する。また、画像表示媒体１０Ｃについては、図１４に示すように、画像の左右が反転してしまうことから、各行の行画像データを各々反転させた画像データを生成する。また、画像表示媒体１０Ｄについては、図１４に示すように、画像の上下左右が共に反転してしまうことから、各列の列画像データを各々反転させ、さらに各行の行画像データを各々反転させた画像データを生成する。
【００６７】
このようにして生成した画像データに基づいて各画像表示媒体の行電極駆動回路３２及び列電極駆動回路４４を制御することにより、基準画素位置が全て左上隅の位置となり、図６に示すように、各文字の向きが正常に表示される。
【００６８】
なお、画像表示媒体１０Ａ〜１０Ｄ全体を１つの画面として画像を表示する場合、制御部６２は、表示すべき画像を４個に分割した分割画像の画像データを生成し、生成した分割画像データについて上記の反転操作を行えばよい。
【００６９】
このように、本実施形態では、制御部６２により画像データを反転させることにより、画像の向きを正常に表示するので、表示基板部４０及び背面基板部５２に反転部を設ける必要がなく、装置を安価に構成することができる。
【００７０】
なお、画像データを反転させることにより画像の向きを正常に表示させることができるものの、走査順序、すなわち行電極に電圧を印加する順序は変わらない。このため、図９に示すように、図中矢印で示す走査の向きが画像表示媒体１０Ａ、１０Ｃと、画像表示媒体１０Ｂ、１０Ｄとでは逆になり、高速に走査する場合には問題ないものの、走査速度によっては見る者に違和感を生じさせる場合がある。
【００７１】
このような場合、第２実施形態で説明した画像表示装置６０Ａを用いることにより、問題を解決することができる。すなわち、画像表示媒体１０Ｂ、１０Ｄに対応する表示基板部４０の反転部３４に反転信号を出力し、行電極駆動回路３２と行電極との接続関係を反転させる。これにより、走査の向きを全ての画像表示媒体で一致させることができ、見る者に違和感を生じさせるのを防ぐことができる。
【００７２】
なお、上記各実施形態では、画像表示媒体を４個用いた２行２列の画像表示装置について説明したが、行数及び列数はこれに限られず、任意に選択可能である。また、上記実施形態では、粒子の移動により画像を表示する画像表示媒体を用いた場合について説明したが、液晶を用いた画像表示媒体にも本発明を適用可能である。さらに、上記実施形態では、単純マトリクス駆動の画像表示装置の場合について説明したが、アクティブマトリクス駆動の画像表示装置にも本発明を適用可能である。
【００７３】
【発明の効果】
以上説明したように、本発明によれば、同一の画像表示媒体を複数用いて大画面化する場合において、画像を正常に表示させることができる、という優れた効果を有する。
【図面の簡単な説明】
【図１】（Ａ）、（Ｂ）は第１実施形態に係る画像表示媒体の断面図である。
【図２】（Ａ）は第１実施形態に係る表示基板部の概略構成図であり、（Ｂ）は第１実施形態に係る背面基板部の概略構成図である。
【図３】第１実施形態に係る表示基板と背面基板とを重ね合わせたときの図である。
【図４】第１実施形態に係る画像表示装置の概略構成図である。
【図５】第１実施形態に係る基準画素位置について説明するための図である。
【図６】第１実施形態に係る画像表示装置による表示例を示したイメージ図である。
【図７】（Ａ）、（Ｂ）は第２実施形態に係る画像表示媒体の断面図である。
【図８】第２実施形態に係る画像表示装置の概略構成図である。
【図９】走査順序について説明するための図である。
【図１０】（Ａ）、（Ｂ）は従来例に係る画像表示媒体の断面図である。
【図１１】従来例に係る表示基板と背面基板とを重ね合わせたときの図である。
【図１２】従来例に係る基準画素位置について説明するための図である。
【図１３】従来例に係る画像表示装置の概略構成図である。
【図１４】従来例に係る画像表示装置による表示例を示したイメージ図である。
【符号の説明】
１０  画像表示媒体
１２  表示基板
１４  背面基板
１６  行電極（表示側電極）
１８  列電極（背面側電極）
３０  表示側駆動部
３２  行電極駆動回路（表示側電圧印加手段）
３４  反転部（表示側反転手段）
３６  反転スイッチ（表示側反転切替スイッチ）
４０  表示基板部
４２  背面側駆動部
４４  列電極駆動回路（背面側電圧印加手段）
４６  反転部（背面側反転手段）
４８  反転スイッチ（背面側反転切替スイッチ）
５２  背面基板部
６０  画像表示装置
６２  制御部（制御手段、画像データ反転手段）
７０、７２          重力方向検知センサ（位置検出手段）
【図１】
2004354542.tif 000003
【図２】
2004354542.tif 000004
【図３】
2004354542.tif 000005
【図４】
2004354542.tif 000006
【図５】
2004354542.tif 000007
【図６】
2004354542.tif 000008
【図７】
2004354542.tif 000009
【図８】
2004354542.tif 000010
【図９】
2004354542.tif 000011
【図１０】
2004354542.tif 000012
【図１１】
2004354542.tif 000013
【図１２】
2004354542.tif 000014
【図１３】
2004354542.tif 000015
【図１４】
2004354542.tif 000016